【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
第１の外側面、第２の外側面、第１の側面、および第２の側面を有する熱電（ＴＥ）層であって、前記第１の外側面および前記第２の外側面の各々が前記第１の側面および前記第２の側面の各々より長い、熱電（ＴＥ）層と、
前記ＴＥ層の前記第１の外側面上の第１の電極であって、第１の接合部において前記ＴＥ層とインターフェースするように構成された、第１の電極と、
前記ＴＥ層の前記第１の外側面上または前記第２の外側面上の第２の電極であって、第２の接合部において前記ＴＥ層とインターフェースするように構成された、第２の電極とを備え、
前記第１の電極と前記第２の電極との間に電圧差が印加されるとき、前記第１の電極から前記第２の電極に前記ＴＥ層内を横方向に、熱源によって生成された熱を伝達するように構成され、
前記第１の電極が、前記第１の接合部において前記熱源から前記ＴＥ層に前記熱を熱伝導するように構成され、
前記第１の接合部は、前記第１の電極が前記熱源と前記ＴＥ層との間にあるように、前記熱源と重複する、熱伝達デバイス。
【請求項２】
前記第１の接合部が、前記第１の電極と前記ＴＥ層との間での接触の領域であり、前記第２の接合部が、前記第２の電極と前記ＴＥ層との間での接触の領域であり、
前記第２の接合部が、前記第１の接合部より大きい面積を有する、請求項１に記載の熱伝達デバイス。
【請求項３】
前記第１の接合部が前記第１の側面においてまたは実質的に前記第１の側面において始まって前記第２の側面の方に延び、
前記第２の接合部が前記第２の側面においてまたは実質的前記第２の側面において始まって前記第１の側面の方に延びる、請求項１に記載の熱伝達デバイス。
【請求項４】
前記ＴＥ層が第１のＴＥ層であり、前記熱伝達デバイスが、
第３の外側面、第４の外側面、第３の側面、および第４の側面を有する第２のＴＥ層であって、前記第３の外側面および前記第４の外側面の各々が前記第３の側面および前記第４の側面の各々より長い、第２のＴＥ層と、
前記第２のＴＥ層の前記第３の外側面上または前記第４の外側面上の第３の電極であって、第３の接合部において前記第２のＴＥ層とインターフェースするように構成された、第３の電極と、
前記第２のＴＥ層の前記第３の外側面上の第４の電極であって、第４の接合部において前記第２のＴＥ層とインターフェースするように構成された、第４の電極とをさらに備え、
前記第１の外側面の平面が前記第３の外側面の平面に実質的に平行であり、前記第２の外側面の平面が前記第４の外側面の平面に実質的に平行であり、前記第１の側面の平面が前記第３の側面の平面に実質的に平行であり、前記第２の側面の平面が前記第４の側面の平面に実質的に平行であり、
一連の電気経路が前記第１の電極、前記第１のＴＥ層、前記第２の電極、前記第３の電極、前記第２のＴＥ層、および前記第４の電極の順に形成されるように、前記第２の電極および前記第３の電極が電気的に結合され、
前記熱伝達デバイスは、前記第１の電極と前記第４の電極との間に電圧差が印加されるとき、前記第１の電極から前記第２の電極に前記第１のＴＥ層内を横方向に、および前記第４の電極から前記第３の電極に前記第２のＴＥ層内を横方向に、前記熱源によって生成された前記熱を伝達するように構成され、
前記第１の電極が、前記第１の接合部において前記熱源から前記第１のＴＥ層に前記熱を熱伝導するように構成され、前記第４の電極が、前記第４の接合部において前記熱源から前記第２のＴＥ層に前記熱を熱伝導するように構成され、
前記第１の電極が、前記第１の接合部において前記熱源から前記第１のＴＥ層に前記熱を熱伝導するように構成され、前記第４の電極が、前記第４の接合部において前記熱源から前記第２のＴＥ層に前記熱を熱伝導するように構成される、請求項１に記載の熱伝達デバイス。
【請求項５】
前記第１のＴＥ層内の前記第１の電極から前記第２の電極までの熱経路が、前記第２のＴＥ層内の前記第４の電極から前記第３の電極までの熱経路に実質的に平行であるように、前記第１のＴＥ層および前記第２のＴＥ層が並んで配置される、請求項４に記載の熱伝達デバイス。
【請求項６】
前記第１の外側面および前記第３の外側面が実質的に共面であり、かつ／または前記第２の外側面および前記第４の外側面が実質的に共面であり、かつ／または前記第１の側面および前記第３の側面が実質的に共面であり、かつ／または前記第２の側面および前記第４の側面が実質的に共面であり、
前記第１の電極が前記熱源と前記第１のＴＥ層との間にあるように且つ前記第４の電極が前記熱源と前記第２のＴＥ層との間にあるように、前記第１の接合部と前記第４の接合部との組合せが前記熱源と重複する、請求項４に記載の熱伝達デバイス。
【請求項７】
前記第１の接合部が、前記第１の電極と前記第１のＴＥ層との間での接触の領域であり、前記第２の接合部が、前記第２の電極と前記第１のＴＥ層との間での接触の領域であり、前記第３の接合部が、前記第３の電極と前記第２のＴＥ層との間での接触の領域であり、前記第４の接合部が、前記第４の電極と前記第２のＴＥ層との間での接触の領域であり、
前記第２の接合部と前記第３の接合部の組合せが、前記第１の接合部と第４の接合部の組合せより大きい面積を有する、請求項４に記載の熱伝達デバイス。
【請求項８】
前記第２の電極および前記第３の電極がそれぞれ、前記第１の外側面および前記第３の外側面上にあるか、またはそれぞれ前記第２の外側面および前記第４の外側面上にある、請求項４に記載の熱伝達デバイス。
【請求項９】
前記第１の接合部が前記第１の側面においてまたは実質的に前記第１の側面において始まって前記第２の側面の方に延び、
前記第２の接合部が前記第２の側面においてまたは実質的前記第２の側面において始まって前記第１の側面の方に延び、
前記第３の接合部が前記第４の側面においてまたは実質的に前記第４の側面において始まって前記第３の側面の方に延び、
前記第４の接合部が前記第３の側面においてまたは実質的に前記第３の側面において始まって前記第４の側面の方に延びる、請求項４に記載の熱伝達デバイス。
【請求項１０】
熱伝達デバイスを形成する方法であって、
第１の外側面および第２の外側面の各々が第１の側面および第２の側面の各々より長くなるように、前記第１の外側面、前記第２の外側面、前記第１の側面、および前記第２の側面を有する熱電（ＴＥ）層を形成するステップと、
第１の電極が第１の接合部において前記ＴＥ層とインターフェースするように、前記ＴＥ層の前記第１の外側面上に前記第１の電極を形成するステップと、
第２の電極が第２の接合部において前記ＴＥ層とインターフェースするように、前記ＴＥ層の前記第１の外側面上または前記第２の外側面上に前記第２の電極を形成するステップとを含み、
前記熱伝達デバイスは、前記第１の電極と前記第２の電極との間に電圧差が印加されるとき、熱源によって生成された熱が前記第１の電極から前記第２の電極に前記ＴＥ層内を横方向に伝達されるように形成され、
前記熱伝達デバイスが、前記第１の電極が前記第１の接合部において前記熱源から前記ＴＥ層に前記熱を熱伝導するように形成され、
前記第１の電極は、前記第１の接合部が前記熱源と重複するように、前記第１の電極が前記熱源と前記ＴＥ層との間にあるように、形成される、方法。
【請求項１１】
前記第１の接合部が、前記第１の電極と前記ＴＥ層との間での接触の領域であり、前記第２の接合部が、前記第２の電極と前記ＴＥ層との間での接触の領域であり、
前記第２の電極が、前記第２の接合部が前記第１の接合部より大きい面積を有するように形成される、請求項１０に記載の熱伝達デバイスを形成する方法。
【請求項１２】
前記第１の電極が、前記第１の接合部が前記第１の側面においてまたは実質的に前記第１の側面において始まって前記第２の側面の方に延びるように形成され、
前記第２の電極が、前記第２の接合部が前記第２の側面においてまたは実質的前記第２の側面において始まって前記第１の側面の方に延びるように形成される、請求項１０に記載の熱伝達デバイスを形成する方法。
【請求項１３】
前記ＴＥ層を形成するステップが第１のＴＥ層を形成するステップを含み、前記方法が、
第３の外側面および第４の外側面の各々が第３の側面および第４の側面の各々より長くなるように、前記第３の外側面、前記第４の外側面、前記第３の側面、および前記第４の側面を有する第２のＴＥ層を形成するステップと、
第３の電極が第３の接合部において前記第２のＴＥ層とインターフェースするように、前記第２のＴＥ層の前記第３の外側面上または前記第４の外側面上に前記第３の電極を形成するステップと、
第４の電極が第４の接合部において前記第２のＴＥ層とインターフェースするように、前記第２のＴＥ層の前記第３の外側面上に前記第４の電極を形成するステップとをさらに含み、
前記第１の外側面の平面が前記第３の外側面の平面に実質的に平行であり、前記第２の外側面の平面が前記第４の外側面の平面に実質的に平行であり、前記第１の側面の平面が前記第３の側面の平面に実質的に平行であり、前記第２の側面の平面が前記第４の側面の平面に実質的に平行であるように、前記第１のＴＥ層および前記第２のＴＥ層が形成され、
一連の電気経路が前記第１の電極、前記第１のＴＥ層、前記第２の電極、前記第３の電極、前記第２のＴＥ層、および前記第４の電極の順に形成されるように、前記第２の電極および前記第３の電極が互いに電気的に結合されるように形成され、
前記熱伝達デバイスは、前記第１の電極と前記第４の電極との間に電圧差が印加されるとき、前記第１の電極から前記第２の電極に前記第１のＴＥ層内を横方向に、および前記第４の電極から前記第３の電極に前記第２のＴＥ層内を横方向に、前記熱源によって生成された前記熱が伝達されるように形成され、
前記熱伝達デバイスが、前記第１の電極が前記第１の接合部において前記熱源から前記第１のＴＥ層に前記熱を熱伝導し、前記第４の電極が前記第４の接合部において前記熱源から前記第２のＴＥ層に前記熱を熱伝導するように形成される、請求項１０に記載の熱伝達デバイスを形成する方法。
【請求項１４】
前記第１および前記第４の電極が、それぞれ、前記熱源と前記第１のＴＥ層と前記第２のＴＥ層との間において形成され、
前記第１の接合部が、前記第１の電極と前記第１のＴＥ層との間での接触の領域であり、前記第２の接合部が、前記第２の電極と前記第１のＴＥ層との間での接触の領域であり、前記第３の接合部が、前記第３の電極と前記第２のＴＥ層との間での接触の領域であり、前記第４の接合部が、前記第４の電極と前記第２のＴＥ層との間での接触の領域であり、
前記第２の電極および前記第３の電極が、前記第２の接合部と前記第３の接合部の組合せが前記第１の接合部と前記第４の接合部の前記組合せより大きい面積を有するように形成され、
前記第１のＴＥ層および前記第２のＴＥ層が、前記第１の外側面および前記第３の外側面が実質的に共面であり、前記第２の外側面および前記第４の外側面が実質的に共面であり、前記第１の側面および前記第３の側面が実質的に共面であり、かつ前記第２の側面および前記第４の側面が実質的に共面であるように形成される、請求項１３に記載の熱伝達デバイスを形成する方法。
【請求項１５】
前記第１の電極が、前記第１の接合部が前記第１の側面においてまたは実質的に前記第１の側面において始まって前記第２の側面の方に延びるように形成され、
前記第２の電極が、前記第２の接合部が前記第２の側面においてまたは実質的前記第２の側面において始まって前記第１の側面の方に延びるように形成され、
前記第３の電極が、前記第３の接合部が前記第４の側面においてまたは実質的に前記第４の側面において始まって前記第３の側面の方に延びるように形成され、
前記第４の電極が、前記第４の接合部が前記第３の側面においてまたは実質的に前記第３の側面において始まって前記第４の側面の方に延びるように形成される、請求項１３に記載の熱伝達デバイスを形成する方法。